(57)【要約】【課題】装置近傍を明るくして作業性を向上させた画像投影装置において、消費電力の増加やコストの増加を抑制すること。【解決手段】光源と、この光源から出射される光を画像信号に基づいて変調する光変調器と、この光変調部で変調した光を投影する投影部と、周囲を照明する照明光を発する照明部とを有する画像投影装置であって、照明部は、光源から出射される光の一部を、光源と光変調器との間で取り出して照明光とした。【選択図】図１
2009075475.tif 000002
【特許請求の範囲】
【請求項１】
光源と、この光源から出射される光を画像信号に基づいて変調する光変調器と、この光変調部で変調した光を投影する投影部と、周囲を照明する照明光を発する照明部とを有する画像投影装置であって、
前記照明部は、前記光源から出射される光の一部を、前記光源と前記光変調器との間で取り出して前記照明光とした画像投影装置。
【請求項２】
前記光源から出射する光を前記光変調器に導くインテグレータを備え、
前記照明部は、前記光源と前記インテグレータとの間に前記光源から出射する光の一部を取り出す光取出手段を有することを特徴とする請求項１に記載の画像投影装置。
【請求項３】
前記光源から出射する光を前記光変調器に導くインテグレータを備え、
前記照明部は、前記インテグレータと前記光変調器との間に前記光源から出射する光の一部を取り出す光取出手段を有することを特徴とする請求項１に記載の画像投影装置。
【請求項４】
前記光取出手段は、ミラーであることを特徴とする請求項２又は請求項３に記載の画像投影装置。
【請求項５】
前記照明部は、自画像投影装置の設置面に向けて前記照明光を導いて、前記設置面を照明することを特徴とする請求項１〜４のいずれか１項に記載の画像投影装置。
【請求項６】
前記照明部は、自画像投影装置の上面に前記照明光を導いて、周囲を照明することを特徴とする請求項１〜５のいずれか１項に記載の画像投影装置。
【発明の詳細な説明】
【技術分野】
【０００１】
本発明は、画像投影装置に関するものであり、特に、照明光を発する照明部を有する画像投影装置に関するものである。
【背景技術】
【０００２】
近年、会議などでプロジェクタなどの画像投影装置が広く用いられてきている。このような画像投影装置を使用する場合、スクリーンに投影表示される画像を見易くするために、通常は室内の環境照明を暗くしており、このため、画像投影装置の近傍は、暗く視界が制限されてしまう。
【０００３】
そこで、特許文献１に記載されているように、室内を照明するための照明部を設けた画像投影装置が提案されている。この画像投影装置には、照明部として、画像の投影領域以外の領域を選択的に照明するスポットライトが設けられており、このスポットライトを点灯することにより、使用者は会議中のメモやリモコン等の操作を行うことが容易となる。
【特許文献１】特開２００４−２３３６９２号公報
【発明の開示】
【発明が解決しようとする課題】
【０００４】
しかしながら、特許文献１に記載の画像投影装置では、別途スポットライトを設ける必要がある。そのため、このスポットライトのための光源、光源に電力を供給するための電源回路や配線などを別途用意する必要がある。その結果、コストや消費電力の増加につながってしまう。しかも、スポットライトを別途設けるため、装置構成が大型化することもあり好ましくない。
【課題を解決するための手段】
【０００５】
かかる課題を解決するために、請求項１に記載の発明は、光源と、この光源から出射される光を画像信号に基づいて変調する光変調器と、この光変調部で変調した光を投影する投影部と、周囲を照明する照明光を発する照明部とを有する画像投影装置であって、前記照明部は、前記光源から出射される光の一部を、前記光源と前記光変調器との間で取り出して前記照明光とした画像投影装置とした。
【０００６】
請求項２に記載の発明は、請求項１に記載の発明において、前記光源から出射する光を前記光変調器に導くインテグレータを備え、前記照明部は、前記光源と前記インテグレータとの間に前記光源から出射する光の一部を取り出す光取出手段を有することを特徴とする。
【０００７】
請求項３に記載の発明は、請求項１に記載の発明において、前記光源から出射する光を前記光変調器に導くインテグレータを備え、前記照明部は、前記インテグレータと前記光変調器との間に前記光源から出射する光の一部を取り出す光取出手段を有することを特徴とする。
【０００８】
請求項４に記載の発明は、請求項２又は請求項３に記載の発明において、前記光取出手段は、ミラーであることを特徴とする。
【０００９】
請求項５に記載の発明は、請求項１〜４のいずれか１項に記載の発明において、前記照明部は、自画像投影装置の設置面に向けて前記照明光を導いて、前記設置面を照明することを特徴とする。
【００１０】
請求項６に記載の発明は、請求項１〜５のいずれか１項に記載の発明において、前記照明部は、自画像投影装置の上面に前記照明光を導いて、周囲を照明することを特徴とする。
【発明の効果】
【００１１】
請求項１に記載の発明によれば、光源と、この光源から出射される光を画像信号に基づいて変調する光変調器と、この光変調部で変調した光を投影する投影部と、周囲を照明する照明光を発する照明部とを有する画像投影装置であって、照明部は、光源から出射される光の一部を、光源と光変調器との間で取り出して照明光とした画像投影装置としており、光源から出射される光の一部を取り出して照明光とすることによって、別途光源や電源回路が不要となり、消費電力の増加やコストの増加を抑制することができる。しかも、光源と光変調器との間で光を取り出すことから、投影画像への影響を防ぐことができる。
【００１２】
請求項２に記載の発明によれば、光源から出射する光を光変調器に導くインテグレータを備え、照明部は、光源とインテグレータとの間に光源から出射する光の一部を取り出す光取出手段を有しており、光源からインテグレータに導かれない、従来であれば捨てていた光を用いることができることから、消費電力の増加の抑制効果を高めることができる。
【００１３】
請求項３に記載の発明によれば、光源から出射する光を光変調器に導くインテグレータを備え、照明部は、インテグレータと光変調器との間に光源から出射する光の一部を取り出す光取出手段を有しており、インテグレータから光変調器に導かれない、従来であれば捨てていた光を用いることができることから、消費電力の増加の抑制効果を高めることができる。
【００１４】
請求項４に記載の発明によれば、光取出手段は、ミラーであるので、ミラーを回転駆動する構成とすれば、ミラーの反射方向に光の方向を変えつつ、光を取り出すことが容易になる。
【００１５】
請求項５に記載の発明によれば、照明部は、自画像投影装置の設置面に向けて照明光を導いて、設置面を照明するので、設置面での作業がし易くなる。
【００１６】
請求項６に記載の発明によれば、照明部は、自画像投影装置の上面に照明光を導いて、周囲を照明するので、画像投影装置の上方におけるリモコンの操作等の作業がし易くなる。
【発明を実施するための最良の形態】
【００１７】
以下、図面を用いて本発明の実施形態について詳述する。
【００１８】
［１．第１実施形態］
［１．１  画像投影装置の概観構成について］
まず、本発明を適用した実施形態に係る画像投影装置の構成の概要について図面を参照して説明する。図１は、本発明の第１実施形態に係る画像投影装置の概観構成を示す説明図である。
【００１９】
図１に示すように、本実施形態に係る画像投影装置１は、机Ｄの上面（以下、「机上」とも言う。）に設置され、図示しないパーソナルコンピュータ等の外部情報端末と接続されている。画像投影装置１は、この外部情報端末からから入力される画像信号に基づいて生成した投影画像Ｖを投影スクリーンＳＣ上に投影表示する。
【００２０】
ここで、画像投影装置１によって投影画像Ｖを投影スクリーンＳＣ上に投影表示する場合には、通常、環境照明を暗くして投影画像Ｖを見易くしている。このように環境照明を暗くした状態では、机上において画像投影装置１の近傍が暗くなり視界が制限されてしまうため、使用者は投影画像Ｖを視認する以外に、例えば、会議内容のメモを取るなどの他の作業を机上で行うことが困難となる。
【００２１】
そこで、画像投影装置１は、ハウジング２の側面に周囲を照明する照明光を発する照明部２０を有しており、この照明部２０は、画像投影装置１の設置面である机Ｄの上面に向けて照明光Ｌを導いて、机Ｄの上面を照明するようなっている。
【００２２】
このように、画像投影装置１では、会議等における使用時に環境照明が暗い場合であっても、照明部２０から発せられた照明光Ｌで、机Ｄの上面を照明することによって、机Ｄの上面におけるハウジング２近傍を明るくし、会議中に使用者が机Ｄ上でメモを取ったりリモコン操作を行ったりする際の作業性を向上させている。
【００２３】
［１．２  画像投影装置の機能概略について］
次に、画像投影装置１の機能概略について説明する。図２は、画像投影装置１の機能概略を示すブロック図である。
【００２４】
図２に示すように、画像投影装置１は、使用者が画像投影装置１の各種操作を行うための制御パネル１０と、外部から入力された映像信号を画像処理回路１４に入力する映像信号入力手段１２と、映像信号入力手段１２を介して入力される映像信号に対して各種の処理を行う画像処理回路１４と、画像処理回路１４によって変換された画像信号を所定の領域に一時的に記憶する映像記憶メモリ１６と、画像処理回路１４から出力される画像信号に基づいた画像を投影するための投影部１８と、画像投影装置１の周囲を照明する照明光を発する照明部２０と、マイクロコンピュータを有し画像投影装置１全体を制御する制御部２２とを備えており、これらは図１に示すハウジング２に内蔵される。
【００２５】
制御パネル１０は、利用者が操作可能となるように、画像投影装置１の図示しない所定の箇所に設けられており、利用者がこの制御パネル１０を操作することによって、その操作内容に応じた制御を制御部２２が実行する。
【００２６】
映像信号入力手段１２は、コンポジット映像信号（例えばＮＴＳＣ映像信号）やコンポーネント映像信号（例えばＲＧＢ信号）などの映像信号を画像処理回路１４に入力する。
【００２７】
画像処理回路１４は、制御部２２による制御に基づいて、映像信号入力手段１２に入力された映像信号に対し、信号の付加や変更などの加工を行う。このように加工されて生成された画像信号は、投影部１８に入力される。
【００２８】
投影部１８は、光源駆動回路１２０と、光源１２１と、照明光学系１２２と、光変調器である透過型液晶パネル１２３（以下、「ＬＣＤ１２３」とする。）と、結像光学系１２４と、ＬＣＤ駆動回路１２５とを備えている。
【００２９】
光源１２１は、ランプなどから構成され、制御部２２によって制御された光源駆動回路１２０から出力される信号に基づいて、点灯駆動されて発光する。光源１２１で発光された光は、照明光学系１２２によって、照射光としてＬＣＤ１２３に照射される。
【００３０】
ＬＣＤ１２３は、ＬＣＤ駆動回路１２５によって駆動され、照明光学系１２２を介して光源１２１から出射される光を画像処理回路１４から入力される画像信号に基づいて変調する。すなわち、ＬＣＤ１２３は、その表示面に、画像処理回路１４から入力される画像信号に基づく映像を表示し、このように表示された映像に適合するように、照明光学系１２２からの照射光を変調し出射光として出射する。続いて、この出射光は、投影光として結像光学系１２４及びハウジング２の投影用開口部（図示せず）を通って、スクリーン（投射面）に投影される。このように、ＬＣＤ１２３は、光源１２１から出射される光を画像信号に基づいて変調する光変調器の一例であり、投影部１８は、ＬＣＤ１２３で変調した光を投影画像としてスクリーンに投影する構成となっている。なお、図示されていないが、良く知られているようにＬＣＤ１２３の前後には偏光板や色フィルタが配置されている。あるいは、照射光を赤、緑、青の３色に分離し、それぞれＬＣＤで変調した後、変調された３色を合成する構成としても良い。
【００３１】
本実施形態の要部である照明部２０は、光取出手段１３２と、散乱板１３４とを備えている。
【００３２】
光取出手段１３２は、制御部２２の制御に基づいて、光源１２１から出射される光の一部を、光源１２１とＬＣＤ１２３との間で取り出し、取り出した光を照明光として散乱板１３４へと送り出す。光取出手段１３２によって取り出された照明光Ｌは、散乱板１３４を透過することによって散乱され、画像投影装置１の設置面である机Ｄの上面を照明する（図１参照）。
【００３３】
このように、本実施形態では、照明部２０は、光源１２１から出射される光の一部を、光源１２１とＬＣＤ１２３との間で取り出して照明光とするので、別途光源や電源回路を設ける必要がなく、別途光源や電源回路を設けるよりも、画像投影装置１全体の消費電力や製造コストを低く抑えることができる。しかも、光源１２１と光変調器であるＬＣＤ１２３との間で光を取り出すことから、投影画像への影響を防ぐことができる。
【００３４】
［１．３  照明部の具体的構成について］
次に、光源１２１から出射される光の一部を光取出手段１３２によって取り出して照明光とする照明部２０の内部構成について、図３を用いて具体的に説明する。図３は、画像投影装置１を机上に設置したときに、この画像投影装置１を上方から見た場合の平面断面図であり、照明部２０周辺の各光学系を模式的に表している。
【００３５】
図３に示すように、画像投影装置１は、略矩形箱状としたハウジング２の内部に、ランプ１４１と、ランプ１４１から出射する光を反射する略椀状のリフレクタ１４２と、リフレクタ１４２によって反射された光をＬＣＤ１２３に導くためのインテグレータ１４４と、インテグレータ１４４から入射される光をコリメートしてＬＣＤ１２３とへ入射するレンズ１４６と、ＬＣＤ１２３と、ＬＣＤ１２３を透過した光を投影光としてスクリーンに拡大投影する結像光学系１２４とを配設している。ランプ１４１とリフレクタ１４２とは、図２に示す光源１２１を構成しており、インテグレータ１４４とレンズ１４６とは、図２に示す照明光学系１２２を構成している。
【００３６】
インテグレータ１４４は、ランプ１４１から出射する光を輝度分布の安定した均一な光に変換する導光光学系であり、断面が略矩形の透明な硝子部材等からなる。インテグレータ１４４に入射した光は、硝子部材と空気との界面において全反射を繰り返しながらインテグレータ１４４の内部を進行し均一化される。なお、インテグレータ１４４としては、硝子部材から構成するものに限らず、内面を反射面で構成する中空構造のものを用いても良い。
【００３７】
また、ハウジング２の左右両側面には、散乱板１３４が配設されている。この散乱板１３４は、研磨剤などによるランダムなパターンの表面を形成した平板であり、表面のパターンの幅よりも大きい波長の光をランダムに散乱させる。
【００３８】
ここで、ランプ１４１から出射された光、或いは、ランプ１４１から出射されリフレクタ１４２によって反射された光（以下、単に「ランプ１４１から出射された光」という。）は、その全てがインテグレータ１４４に入射するわけではない。すなわち、ランプ１４１から出射された光のうち、一部の光はインテグレータ１４４に入射し、他の一部の光はインテグレータ１４４に入射しない。従来の画像投影装置においては、インテグレータ１４４に入射しない光は、ＬＣＤ１２３や結像光学系１２４へ至ることがないため、スクリーンに投影画像を投影するための投影光として用いられることがなく、無駄な光となっていた。
【００３９】
そこで、本実施形態に係る画像投影装置１では、光源１２１とインテグレータ１４４との間に光源１２１から出射する光の一部を取り出すミラー１４８を設けている。すなわち、ミラー１４８は、図２に示す光取出手段１３２を構成し、ランプ１４１から出射された光のうち、インテグレータ１４４に入射しない光を反射により取り出し、散乱板１３４に入射させるようにしている。ミラー１４８によって反射された光は、散乱板１３４によって散乱され、画像投影装置１の周囲を照明する照明光として、ハウジング２外に発せられ、画像投影装置１の左右両側面の近傍を照明する。
【００４０】
このように、光源１２１とインテグレータ１４４との間にミラー１４８を設け、ミラー１４８に反射した光を照明光としているため、光源１２１からインテグレータ１４４に導かれない、従来であれば捨てていた光を照明光として有効利用することができる。しかも、照明光を発するための光源を別途設ける必要がないため、消費電力の増加の抑制効果を高めることができる。
【００４１】
ところで、本実施形態では、光取出手段１３２において、ミラー１４８が回転駆動されるように構成されており、このミラー１４８の回転によってミラー１４８に反射する光の進行方向が変更され、散乱板１３４を介して画像投影装置１から出射される照明光の照明方向が変更されるようになっている。
【００４２】
すなわち、光取出手段１３２は、ミラー１４８を回転駆動するためのミラー駆動機構（図示せず）と、このミラー駆動機構を駆動させるミラー駆動回路（図示せず）とを備えており、ミラー駆動回路は、制御パネル１０の操作等に基づいて制御部２２によって制御される。そして、ミラー１４８は、ミラー駆動回路から出力される駆動信号に基づいて、ミラー駆動機構が駆動されると、このミラー駆動機構によって回転軸１４８ａを中心として回転駆動される。
【００４３】
したがって、ランプ１４１から出射された光は、上述したようにミラー１４８によって反射され、さらに、制御パネル１０の操作に基づきミラー１４８が回転駆動されることによって、その進行方向が変更される。そして、散乱板１３４を介して画像投影装置１から照明光として出射される光は、図４に示すように、ミラー１４８の回転駆動によって進行方向が変更されることによって、図中の矢印で示すように照明方向が変更される。
【００４４】
このように、ミラー１４８を回転駆動するように構成しているため、所望の照明方向に光の進行方向を変えつつ、光を取り出すことが容易になる。その結果、机上において画像投影装置１の位置を変更することなく、照明光による照明方向を自由に変更することができ、画像投影装置１の利便性を向上することができる。
【００４５】
また、画像投影装置１では、ミラー１４８の回転駆動によって照明光のオン・オフを切替可能に構成している。すなわち、照明光を必要としないときに、ミラー１４８は、利用者による制御パネル１０の操作に基づいて回転駆動され、ミラー１４８に入射する光を、散乱板１３４に入射しない方向に反射できるようにしている。このとき、ミラー１４８によって反射される光は、散乱板１３４を介して画像投影装置１から照明光として出射されることはなく、照明光はオフ状態となる。一方、照明光を必要とするときには、ミラー１４８は、利用者による制御パネル１０の操作に基づいて回転駆動され、ミラー１４８に入射する光を、散乱板１３４に入射する方向に反射できるようにしている。このとき、ミラー１４８によって反射される光は、散乱板１３４を介して画像投影装置１から照明光として出射され、照明光はオン状態となる。
【００４６】
このように、ミラー１４８の回転駆動によって照明光のオン・オフを切替可能としているため、別途照明のオン・オフを切替える装置や切替スイッチ等を設ける必要がなく、装置構成を簡素化することができ、このため、消費電力の増加やコストの増加を抑制することができる。
【００４７】
また、画像投影装置１では、光源１２１の光を照明光として利用していることから、投影画像の輝度に応じて、照明光の明るさが変化する。すなわち、画像投影装置１の光源駆動回路１２０（図２参照）は、制御部２２の制御に基づいて、ランプ１４１での発光強度を増減して投影画像の輝度を増減できるように構成されており、ランプ１４１での発光強度を増減することによって、ミラー１４８によって反射され散乱板１３４を介して画像投影装置１から照明光として出射される光の明るさが変わる。一般に、環境照明が明るいときには、投影画像が見にくくなることから、光源１２１の強度を上げ、逆に環境照明が暗いときには、投影画像が眩しくなるから、光源１２１の強度を下げることが多い。しかし、環境照明が暗いときに照明光を明るくすることが望ましい。そこで、本実施形態における画像投影装置１は、ミラー１４８の回転駆動によって照明光の強度を切替可能に構成している。すなわち、光源１２１の強度が高いときには、制御部２２によってミラー１４８を回転駆動して、散乱板１３４へ入射する光の量を減らし、光源１２１の強度が低いときには、制御部２２によってミラー１４８を回転駆動して、散乱板１３４へ入射する光の量を増加させるようにしている。
【００４８】
このように、投影画像の輝度に応じて、照明光の明るさを変更するように構成しているため、別途照明光の明るさを変更するための装置や変更操作を行うスイッチ等を設ける必要がなく、装置構成を簡素化することができ、このため、消費電力の増加やコストの増加を抑制することができる。
【００４９】
以上のように、本実施形態に係る画像投影装置１は、光源１２１と、この光源１２１から出射される光を画像信号に基づいて変調する光変調器であるＬＣＤ１２３と、このＬＣＤ１２３で変調した光を投影する投影部１８と、周囲を照明する照明光を発する照明部２０とを有し、しかも、照明部２０は、光源１２１から出射される光の一部を、光源１２１とＬＣＤ１２３との間で取り出して照明光としたので、光源から出射される光の一部を取り出して照明光とすることによって、別途光源や電源回路が不要となり、消費電力の増加やコストの増加を抑制することができる。しかも、光源と光変調器との間で光を取り出すことから、投影画像への影響を防ぐことができる。
【００５０】
［２．第２実施形態］
次に、本発明の第２実施形態の画像投影装置について、図５を用いて説明する。第２実施形態に係る画像投影装置２０１は、上記した第１実施形態に係る画像投影装置１とミラー１４８の配設位置が異なる。その他の構成は、第１実施形態に係る画像投影装置１と同様であるので説明を省略する。
【００５１】
図５は、本発明の第２実施形態に係る画像投影装置２０１を机上に設置したときに、この画像投影装置２０１を上方から見た場合の平面断面図であり、照明部２０周辺の各光学系を模式的に表している。なお、同一の部分又は同一の機能を有する部分には同一の符号を付した。
【００５２】
図５に示すように、第２実施形態に係る画像投影装置２０１における照明部は、インテグレータ１４４と光変調器であるＬＣＤ１２３との間に光源１２１から出射する光の一部を取り出す光取出手段１３２（図２参照）の一例であるミラー１４８を有している。
【００５３】
ここで、ＬＣＤ１２３の表示面は、一般に略矩形状に形成されているところ、レンズ１４６によってコリメートされＬＣＤ１２３へ入射する光は、ＬＣＤ１２３の表示面よりも表面積の大きい断面視略円形状に形成されている。したがって、レンズ１４６によってコリメートされＬＣＤ１２３へ入射する断面視略円形状の光のうち、一部の光は、ＬＣＤ１２３へ入射しスクリーンに投影画像を投影するための投影光として用いられるが、略矩形状のＬＣＤ１２３の表示面を除く他の一部の光は、ＬＣＤ１２３へ入射しない。このように、ＬＣＤ１２３に入射しない光は、無駄な光となっていた。
【００５４】
そこで、本実施形態では、インテグレータ１４４とＬＣＤ１２３との間にミラー１４８を配設し、このミラー１４８によって、レンズ１４６によってコリメートされた光のうち、ＬＣＤ１２３に入射しない光を反射により取り出し、散乱板１３４に入射させるようにしている。ミラー１４８によって反射された光は、散乱板１３４によって散乱され、画像投影装置１の周囲を照明する照明光としてハウジング２外に発せされる。
【００５５】
このように、インテグレータ１４４とＬＣＤ１２３との間にミラー１４８を設け、ミラー１４８に反射した光を照明光としているため、インテグレータ１４４からＬＣＤ１２３に導かれない、従来であれば捨てていた光を照明光として有効利用することができる。しかも、照明光を発するための光源を別途設ける必要がないため、消費電力の増加の抑制効果を高めることができる。
【００５６】
［３．第３実施形態］
次に、本発明の画像投影装置の他の実施形態について、図６を用いて説明する。第３実施形態に係る画像投影装置３０１は、上記した第１実施形態に係る画像投影装置１と照明部の構成が異なる。その他の構成は、第１実施形態に係る画像投影装置１と同様であるので説明を省略する。
【００５７】
図６は、本発明の第３実施形態に係る画像投影装置３０１の概観構成を示す説明図である。なお、同一の部分又は同一の機能を有する部分には同一の符号を付した。
【００５８】
図６に示すように、第３実施形態に係る画像投影装置３０１においては、照明部は、上方に向けて突出した略逆椀型状を形成した散乱板３３４を、ハウジング２の上面に配設している。
【００５９】
このような構成の画像投影装置３０１においては、照明部は、光取出手段１３２（図２参照）によって、光源１２１から出射される光の一部を、光源１２１と光変調器であるＬＣＤ１２３との間で取り出し、取り出した光を照明光として散乱板３３４へ出射する。散乱板３３４を通過する光は、略逆椀型状を形成した散乱板３３４によって散乱され、照明光として、図５に示すように、画像投影装置１の上方領域Ｌ２を照明する。
【００６０】
このようにして、本実施形態に係る画像投影装置３０１の照明部は、自画像投影装置３０１の上面に照明光を導いて、周囲を照明するようになっている。これによって、例えば、画像投影装置１の上方領域Ｌ２で画像投影装置１を操作するためのリモコンの操作を容易に行うことができる。
【００６１】
以上本発明の好ましい実施の形態について説明したが、本発明はかかる特定の実施形態に限定されるものではなく、特許請求の範囲に記載された本発明の要旨の範囲内において、種々の変形・変更が可能である。
【００６２】
例えば、上記した実施形態においては、照明光として、散乱板１３４，３３４によって散乱した散乱光を発する構成としたが、照明光として、スポット光を発する構成としても良い。この場合、散乱板１３４，３３４に代えて、光学レンズを設け、この光学レンズによって、ミラー１４８で反射した光をスポット光とする構成とすることができる。このように、照明光として、スポット光を発する構成とすれば、所望の領域を集中的に照明することが可能となる。
【００６３】
また、上記した実施形態においては、照明部は、ハウジング２の左右又は上面から照明光をそれぞれ別個独立に発する構成としていたが、ハウジング２の左右又は上面から照明光を選択的に発する構成としても良い。この場合、ミラー１４８によって反射した光の方向を変える第２のミラーを設け、この第２のミラーを回動可能に構成することができる。かかる構成では、ミラー１４８によって反射された光を、第２のミラーによって再び反射し、かつ、第２のミラーの回動により、その進行方向をハウジング２の左右又は上面に向けて選択的に変更する。
【００６４】
さらに、照明光を、ハウジング２の左右及び上面から同時に発する構成としても良い。
【００６５】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【００６６】
【図１】本発明の第１実施形態に係る画像投影装置の概観構成を示す説明図である。
【図２】本発明の第１実施形態に係る画像投影装置の機能概略を示すブロック図である。
【図３】本発明の第１実施形態に係る画像投影装置の内部構成の一例を示す説明図である。
【図４】ミラーの回転駆動によって照明光の照明方向が変更される態様を説明するための図である。
【図５】本発明の第２実施形態に係る画像投影装置の内部構成の一例を示す説明図である。
【図６】本発明の第３実施形態に係る画像投影装置の概観構成を示す説明図である。
【符号の説明】
【００６７】
１          画像投影装置
１８        投影部
２０        照明部
１２１      光源
１３２      光取出手段
１２３      光変調器（ＬＣＤ）
１４４      インテグレータ
１４８      ミラー
２０１      画像投影装置
３０１      画像投影装置
Ｄ          机
Ｌ          照明光
【図１】
2009075475.tif 000003
【図２】
2009075475.tif 000004
【図３】
2009075475.tif 000005
【図４】
2009075475.tif 000006
【図５】
2009075475.tif 000007
【図６】
2009075475.tif 000008